(57)【要約】【課題】本発明は、複数の使用周波数帯が比較的大きく離れている場合にも、回路構成を簡略化することができるマルチバンド無線通信装置を提供する。【解決手段】ベースバンド部１は、送信対象の情報についてベースバンド信号を生成する。第１周波数シンセサイザ２は、中間周波数ＦＩＦが第１使用周波数帯ＦＡと同一となるようにＩＦ信号を発振する。第１ミキサ３は、第１周波数シンセサイザ２からのＩＦ信号を用いて、ベースバンド部１からのベースバンド信号を第１使用周波数帯ＦＡの第１送信信号にアップコンバートする。第２ミキサ６は、第２周波数シンセサイザ５からの局部発振信号を用いて、第１ミキサ３からの第１送信信号を、第２使用周波数帯ＦＢの第２送信信号にアップコンバートする。【選択図】図１
2010171898.tif 000002
【特許請求の範囲】
【請求項１】
不連続な複数の使用周波数帯のうち最も低い使用周波数帯である第１使用周波数帯と、前記複数の使用周波数帯のうち前記第１使用周波数帯よりも高い使用周波数帯である第２使用周波数帯とを選択的に用いて無線通信可能な無線通信システムに用いられるマルチバンド無線通信装置であって、
送信対象の情報についてベースバンド信号を生成するベースバンド部と、
前記第１使用周波数帯を中間周波数とし、その中間周波数の信号を発振する第１周波数発振部と、
前記第１周波数発振部からの信号を用いて、前記ベースバンド部からのベースバンド信号を前記第１使用周波数帯の第１送信信号にアップコンバートする第１周波数変換部と、
前記第１使用周波数帯と前記第２使用周波数帯との差分の周波数の信号を発振する第２周波数発振部と、
前記第２周波数発振部からの信号を用いて、前記第１周波数変換部からの前記第１送信信号を前記第２使用周波数帯の第２送信信号にアップコンバートする第２周波数変換部と、
前記第１送信信号及び前記第２送信信号を選択的に増幅して外部へ送信可能な信号送信部と
を備えることを特徴とするマルチバンド無線通信装置。
【請求項２】
前記第１周波数発振部は、前記第１使用周波数帯に属する複数のチャネルから所望のチャネルを選択するための第１使用周波数帯用チャネル選択手段を有している
ことを特徴とする請求項１記載のマルチバンド無線通信装置。
【請求項３】
前記第２周波数発振部は、前記第２使用周波数帯に属する複数のチャネルから所望のチャネルを選択するための第２使用周波数帯用チャネル選択手段を有している
ことを特徴とする請求項１又は請求項２に記載のマルチバンド無線通信装置。
【発明の詳細な説明】
【技術分野】
【０００１】
この発明は、不連続な複数の使用周波数帯の送信信号により無線通信を行う無線通信システムに用いられるマルチバンド無線通信装置に関する。
【背景技術】
【０００２】
近年の無線通信を利用したシステムの普及により、特に普及率の高いシステムにおいては、各システムに割り当てられる使用周波数帯を広げたいという要求が高まっている。例えば、あるシステムに後で使用周波数帯が追加される場合等、１つのシステムに用いられる使用周波数帯が、連続せずに離れた複数の使用周波数帯となることがある。このようなマルチバンドを使用するシステムにおいては、無線通信機器を複数の使用周波数帯に対応させる必要が生じ、例えば携帯電話等のように、２つの使用周波数帯の両方を１つの端末で対応可能な製品が提案されている。
【０００３】
このようなマルチバンドを使用するシステムに用いられる従来のマルチバンド対応の無線通信装置は、２つの使用周波数帯のそれぞれの使用周波数帯に対応した送信回路及び受信回路を有し、通信目的等に応じて、使用周波数帯及び回路を選択していた。つまり、このような従来のマルチバンド対応の無線通信装置では、２系統以上の送信回路及び受信回路が用いられる。
【０００４】
特に、このような無線通信装置では、中間周波数（ＩＦ：Ｉｎｔｅｒｍｅｄｉａｔｅ  Ｆｒｅｑｕｅｎｃｙ）、第１使用周波数帯及び第２使用周波数帯のそれぞれの信号を発振する周波数シンセサイザ（周波数発振部）がそれぞれ１つずつ用いられ、信号変換用のミキサも、中間周波数、第１使用周波数帯及び第２使用周波数帯のそれぞれについて１つずつ用いられる。このため、回路構成が大型化していた。
【０００５】
これに対して、例えば、特許文献１に示すような従来のデュアルバンド無線通信装置では、周波数シンセサイザ及びミキサの個数を減少させることにより、回路構成の簡略化が図られている。図５は、特許文献１に示すような従来のデュアルバンド無線通信装置を示す構成図である。この場合、例えば、第１使用周波数帯ＦＡは、９４０ＭＨｚであり、第２使用周波数帯ＦＢは、１４５３ＭＨｚであり、中間周波数ＦＩＦは、２５５．５ＭＨｚである。
【０００６】
図５において、従来のデュアルバンド無線通信装置は、ベースバンド部１０１、第１周波数シンセサイザ１０２、第１ミキサ１０３、第２周波数シンセサイザ１０４、第２ミキサ１０５、送信周波数選択用スイッチ１０６、一対のＢＰＦ（Ｂａｎｄ  Ｐａｓｓ  Ｆｉｌｔｅｒ）１０７Ａ，１０７Ｂ、一対のアンプ１０８Ａ，１０８Ｂ、一対のアンテナ１０９Ａ，１０９Ｂを有している。
【０００７】
第１ミキサ１０３は、ベースバンド部１０１によって生成されたベースバンド信号と、第１周波数シンセサイザ１０２によって生成された中間周波数ＦＩＦの信号とを互いにかけ合わせて、ベースバンド信号の周波数を中間周波数ＦＩＦにアップコンバートする。第２周波数シンセサイザ１０４は、第１使用周波数帯ＦＡと第２使用周波数帯ＦＢとの和の半分から中間周波数ＦＩＦを差し引いた値の周波数の局部発振信号を発振する。
【０００８】
第２ミキサ１０５は、第１ミキサ１０３からの中間周波数ＦＩＦのベースバンド信号と、第２周波数シンセサイザ１０４からの局部発振信号とをかけ合わせて、ベースバンド信号の周波数を第１使用周波数帯ＦＡと第２使用周波数帯ＦＢとの和の半分の値の周波数にアップコンバートし、ＲＦ（Ｒａｄｉｏ  Ｆｒｅｑｕｅｎｃｙ）の送信信号を生成する。
【０００９】
送信周波数選択用スイッチ１０６は、第２ミキサ１０５からの送信信号の伝送経路を、ＢＰＦ１０７Ａ側とＢＰＦ１０７Ｂ側との一方から他方に切替え可能になっている。また、ＢＰＦ１０７Ａの周波数通過特性は、第１使用周波数帯ＦＡに対応しており、ＢＰＦ１０７Ｂの周波数通過特性は、第２使用周波数帯ＦＢに対応している。
【００１０】
そして、第２ミキサ１０５からの送信信号がＢＰＦ１０７Ａ又はＢＰＦ１０７Ｂを通過することによって、第１使用周波数帯ＦＡ及び第２使用周波数帯ＦＢのいずれか一方の信号が、アンプ１０８Ａ及びアンテナ１０９Ａ、又はアンプ１０８Ｂ及びアンテナ１０９Ｂを通じて外部へ送信される。従って、特許文献１に示すような従来のデュアルバンド無線通信装置では、２つの使用周波数帯への対応を、ＩＦ及びＲＦそれぞれ１組ずつ周波数シンセサイザ１０２，１０４及びミキサ１０３，１０５を用いることにより回路構成の簡単化を図っていた。
【先行技術文献】
【特許文献】
【００１１】
【特許文献１】特開平５−２４４０３２号公報
【発明の概要】
【発明が解決しようとする課題】
【００１２】
ここで、近年、例えばエリアカバー率を上げるため、ミリ波等の高周波帯域（例えば、３０Ｇ〜３００ＧＨｚ）の使用周波数帯と数ＧＨｚ程度の使用周波数帯とを組み合わせて用いるシステム等が提案されつつあり、マルチバンド無線通信システムにおける使用周波数帯が離れているケースが出てくることが想定される。このような使用周波数帯の離れたマルチバンド無線通信システムにおいては、使用可能な帯域すべてに対応する無線通信装置を実現する場合には回路規模が増大していた。
【００１３】
また、特許文献１に示すような従来のデュアルバンド無線通信装置では、例えば第１及び第２使用周波数帯ＦＡ，ＦＢが比較的大きく離れている場合（例えば１０ＧＨｚ以上離れている場合）等には、中間周波数ＦＩＦと第１及び第２使用周波数帯ＦＡ，ＦＢとの差も大きくなる。このため、第１周波数シンセサイザ１０２における中間周波数ＦＩＦの設定が困難になり、この通信装置を用いることができない。従って、このような場合には、回路構成の簡略化を図ることができなかった。
【００１４】
この発明は、上記のような課題を解決するためになされたものであり、複数の使用周波数帯が比較的大きく離れている場合にも、回路構成を簡略化することができるマルチバンド無線通信装置を得ることを目的とする。
【課題を解決するための手段】
【００１５】
この発明に係るマルチバンド無線通信装置は、不連続な複数の使用周波数帯のうち最も低い使用周波数帯である第１使用周波数帯と、複数の使用周波数帯のうち第１使用周波数帯よりも高い使用周波数帯である第２使用周波数帯とを選択的に使用して無線通信可能な無線通信システムに用いられるものであって、送信対象の情報についてベースバンド信号を生成するベースバンド部と、第１使用周波数帯を中間周波数とし、その中間周波数の信号を発振する第１周波数発振部と、第１周波数発振部からの信号を用いて、ベースバンド部からのベースバンド信号を第１使用周波数帯の第１送信信号にアップコンバートする第１周波数変換部と、第１使用周波数帯と第２使用周波数帯との差分の周波数の信号を発振する第２周波数発振部と、第２周波数発振部からの信号を用いて、第１周波数変換部からの第１送信信号を第２使用周波数帯の第２送信信号にアップコンバートする第２周波数変換部と、第１送信信号及び第２送信信号を選択的に増幅して外部へ送信可能な信号送信部とを備えるものである。
【発明の効果】
【００１６】
この発明のマルチバンド無線通信装置によれば、第１周波数発振部が複数の使用周波数帯のうち最も低い使用周波数帯である第１使用周波数帯の信号を中間周波数の信号として発振し、第１周波数変換部がベースバンド信号を中間周波数にアップコンバートして第１送信信号とし、第２周波数変換部が第１送信信号を第２使用周波数帯にアップコンバートして第２送信信号とし、信号送信部が第１送信信号及び第２送信信号を選択的に増幅して外部へ送信可能となっているので、第１使用周波数帯若しくは中間周波数についての周波数発振部及び周波数変換部が不要となり、また、中間周波数が第２使用周波数帯に依存せずに設定可能となることにより、複数の使用周波数帯が比較的大きく離れている場合にも、回路構成を簡略化することができる。
【図面の簡単な説明】
【００１７】
【図１】この発明の実施の形態１によるマルチバンド無線通信装置を示す構成図である。
【図２】図２は、図１のマルチバンド無線通信装置に用いられる使用周波数帯を説明するための説明図である。
【図３】この発明の実施の形態２によるマルチバンド無線通信装置を示す構成図である。
【図４】この発明の実施の形態３によるマルチバンド無線通信装置を示す構成図である。
【図５】特許文献１に示すような従来のデュアルバンド無線通信装置を示す構成図である。
【発明を実施するための形態】
【００１８】
以下、この発明を実施するための形態について、図面を参照して説明する。
実施の形態１．
図１は、この発明の実施の形態１によるマルチバンド無線通信装置を示す構成図である。図２は、図１のマルチバンド無線通信装置に用いられる使用周波数帯を説明するための説明図である。
まず、図１のマルチバンド無線通信装置が用いられる無線通信システムでは、図２に示すような２つの不連続の（離れた）使用周波数帯である第１使用周波数帯ＦＡ及び第２使用周波数帯ＦＢが使用される。第１使用周波数帯ＦＡは、不連続な複数の使用周波数帯のうち最も低い使用周波数帯である。また、第１使用周波数帯ＦＡは、例えば、制御情報の通信に主に用いられ、５ＧＨｚ帯である。さらに、第１使用周波数帯ＦＡは、１つのチャネルｆＡ０で構成されている。第１使用周波数帯ＦＡのチャネルｆＡ０の中心周波数は、例えば、５．０ＧＨｚである。
【００１９】
第２使用周波数帯ＦＢは、使用される不連続な複数の使用周波数帯のうち第１使用周波数帯ＦＡよりも高い使用周波数帯である。また、第２使用周波数帯ＦＢは、例えば、ユーザデータの通信に主に用いられ、６０ＧＨｚ帯である。さらに、第２使用周波数帯ＦＢは、複数のチャネルｆＢ０〜ｆＢＮで構成されている。第２使用周波数帯ＦＢの複数のチャネルｆＢ０〜ｆＢＮの中心周波数は、それぞれ、例えば６０．２ＧＨｚ〜６２．２ＧＨｚである（０．４ＧＨｚステップ変動）。
【００２０】
次に、図１において、マルチバンド無線通信装置は、ベースバンド部１、第１周波数発振部としての第１周波数シンセサイザ２、第１周波数変換部としての第１ミキサ３、送信周波数選択用スイッチ４、第２周波数発振部としての第２周波数シンセサイザ５、第２周波数変換部としての第２ミキサ６、一対のアンプ７Ａ，７Ｂ、及び一対のアンテナ８Ａ，８Ｂを有している。
【００２１】
ベースバンド部１は、送信対象の情報についてベースバンド信号を生成する。第１周波数シンセサイザ２は、第１使用周波数帯ＦＡの信号を、中間周波数ＦＩＦの信号であるＩＦ信号として発振する。即ち、第１周波数シンセサイザ２は、中間周波数ＦＩＦが第１使用周波数帯ＦＡと同一となるようにＩＦ信号を発振する。第１ミキサ３は、第１周波数シンセサイザ２からのＩＦ信号を用いて、ベースバンド部１からのベースバンド信号を第１使用周波数帯ＦＡの第１送信信号（ＲＦの送信信号）にアップコンバートする。
【００２２】
送信周波数選択用スイッチ４は、第１〜第３固定接点４ａ〜４ｃと、可動接点４ｄを有している。第１固定接点４ａは、第１ミキサ３に電気的に接続されている。また、送信周波数選択用スイッチ４は、可動接点４ｄの移動によって、第１ミキサ３及び第１固定接点４ａからの第１送信信号の電路を、第２固定接点４ｂ側と第３固定接点４ｃ側との一方から他方へ切替可能になっている。送信周波数選択用スイッチ４による電路の切替は、通信制御を行う通信制御部（図示せず）によって制御される。
【００２３】
第２周波数シンセサイザ５は、第１使用周波数帯ＦＡのチャネルｆＡ０の中心周波数と、第２使用周波数帯ＦＢのチャネルｆＢ０〜ｆＢＮの中心周波数との差分の周波数（約５５ＧＨｚ）の局部発振信号を発振する。また、第２周波数シンセサイザ５は、第２使用周波数帯ＦＢに属する複数のチャネルｆＢ０〜ｆＢＮのうち所望のチャネルを選択するための第２使用周波数帯用チャネル選択手段（図示せず）を有している。この第２使用周波数帯用チャネル選択手段によって、局部発振信号の中心周波数が、チャネルｆＢ０〜ｆＢＮの中心周波数に対応するように可変となっている。
【００２４】
第２ミキサ６は、送信周波数選択用スイッチ４の第３固定接点４ｃに電気的に接続されている。即ち、送信周波数選択用スイッチ４によって第１固定接点４ａから第３固定接点４ｃへの電路が形成されている場合に、第２ミキサ６は、第１ミキサ３から第１送信信号を受ける。また、第２ミキサ６は、第２周波数シンセサイザ５からの局部発振信号を用いて、第１ミキサ３からの第１送信信号を、第２使用周波数帯ＦＢの第２送信信号（ＲＦの送信信号）にアップコンバートする。
【００２５】
アンプ７Ａは、送信周波数選択用スイッチ４の第２固定接点４ｂに電気的に接続されている。即ち、送信周波数選択用スイッチ４によって第１固定接点４ａから第２固定接点４ｂへの電路が形成されている場合に、アンプ７Ａは、第１ミキサ３から第１送信信号を受ける。また、アンプ７Ａは、アンテナ８Ａに電気的に接続されている。アンプ７Ａの増幅特性及びアンテナ８Ａの送信特性は、第１送信信号の周波数帯、即ち第１使用周波数帯ＦＡに対応している。アンプ７Ａ及びアンテナ８Ａは、第１送信信号を増幅して外部へ送信する。
【００２６】
アンプ７Ｂは、第２ミキサ６に電気的に接続されており、第２ミキサ６から第２送信信号を受ける。アンテナ８Ｂは、アンプ７Ｂに電気的に接続されている。アンプ７Ｂの増幅特性及びアンテナ８Ｂの送信特性は、第２送信信号の周波数帯、即ち第２使用周波数帯ＦＢに対応している。アンプ７Ｂ及びアンテナ８Ｂは、第２送信信号を増幅して外部へ送信する。
【００２７】
ここで、送信周波数選択用スイッチ４、一対のアンプ７Ａ，７Ｂ及び一対のアンテナ８Ａ，８Ｂは、信号送信部を構成している。つまり、信号送信部は、第１送信信号及び前記第２送信信号を選択的に増幅して外部へ送信可能となっている。
【００２８】
次に、第１送信信号を受信する場合の信号の流れについて簡単に説明する。受信側のマルチバンド無線通信装置において第１使用周波数帯ＦＡの信号を受ける場合、アンテナで受信された信号は、フィルタ等のＲＦ回路を通過する。そして、ＲＦ回路を通過した信号は、ミキサによって、周波数シンセサイザから出力される５.０ＧＨｚの局部発振信号とかけ合わされることにより、ベースバンド信号にダウンコンバートされる。そして、ダウンコンバートされた信号は、ベースバンド部で受信処理が行われる。
【００２９】
上記のようなマルチバンド無線通信装置では、中間周波数ＦＩＦをマルチバンド無線通信システムにおける第１使用周波数帯ＦＡと同一とすることにより、第１使用周波数帯ＦＡの第１送信信号を送信する場合のＲＦ回路の構成は、アンプ７Ａ及びアンテナ８Ａのみとなる。この構成により、中間周波数ＦＩＦから第１使用周波数帯ＦＡへアップコンバートをするための周波数シンセサイザやミキサを不要とすることができる。また、第２ミキサ６が第１送信信号を第２使用周波数帯ＦＢにアップコンバートし、第２送信号とすることにより、中間周波数ＦＩＦを第２使用周波数帯ＦＢに依存せずに設定可能となっている。従って、上記のようなマルチバンド無線通信装置では、第１及び第２使用周波数帯ＦＡ，ＦＢが比較的大きく離れている場合にも、回路構成を簡略化することができる。
【００３０】
また、第２周波数シンセサイザ５が第２使用周波数帯用チャネル選択手段を有しており、この第２使用周波数帯用チャネル選択手段によって、局部発振信号の中心周波数が、チャネルｆＢ０〜ｆＢＮの中心周波数に対応するように可変となっている。この構成により、周波数シンセサイザの個数を増やすことなく、第２使用周波数帯ＦＢに属する複数のチャネルｆＢ０〜ｆＢＮに対応することができる。
【００３１】
なお、実施の形態１では、第１使用周波数帯ＦＡが５ＧＨｚであり、第２使用周波数帯ＦＢが６０ＧＨｚであるデュアルバンドシステムの例について説明した。しかしながら、使用周波数帯の組み合わせは、適宜決定することができ、例えば、８００ＭＨｚ帯と１．２ＧＨｚ帯との組み合わせ等であってもよい。
【００３２】
実施の形態２．
実施の形態１では、２つの使用周波数帯（デュアルバンド）を用いた例について説明した。これに対して、実施の形態２では、３つの使用周波数帯（マルチバンド）を用いた例について説明する。
【００３３】
図３は、この発明の実施の形態２によるマルチバンド無線通信装置を示す構成図である。実施の形態２のマルチバンド無線通信装置は、実施の形態１の構成（図１に示す構成）に加えて、第３周波数シンセサイザ９、第３ミキサ１０、アンプ７Ｃ及びアンテナ８Ｃをさらに有している。また、実施の形態２の送信周波数選択用スイッチ４は、第４固定接点４ｅをさらに有している。
【００３４】
第３周波数シンセサイザ９は、第３使用周波数帯ＦＣのチャネルｆＣ０〜ｆＣｍの中心周波数と、第１使用周波数帯ＦＡのチャネルｆＡ０中心周波数との差分の周波数の局部発振信号を発振する。第３使用周波数帯ＦＣは、第１使用周波数帯ＦＡよりも高い周波数帯であり、かつ第２使用周波数帯ＦＢとは異なる周波数帯である。また、第３周波数シンセサイザ９は、第２周波数シンセサイザ５と同様に、第３使用周波数帯ＦＣに属する複数のチャネルｆＣ０〜ｆＣｍのうち所望のチャネルを選択するための第３使用周波数帯用チャネル選択手段（図示せず）を有している。
【００３５】
第３ミキサ１０は、送信周波数選択用スイッチ４の第４固定接点４ｅに電気的に接続されている。また、第３ミキサ１０は、送信周波数選択用スイッチ４によって第１固定接点４ａから第４固定接点４ｅへの電路が形成されている場合に、第１ミキサからの第１送信信号を受ける。
【００３６】
さらに、第３ミキサ１０は、第３使用周波数帯ＦＣの局部発振信号を用いて、第１送信信号を第３使用周波数帯ＦＣの第３送信信号にアップコンバートする。この第３送信信号は、アンプ７Ｃによって増幅されて、アンテナ８Ｃから外部へ送信される。なお、アンプ７Ｃの増幅特性及びアンテナ８Ｃの送信特性は、第３送信信号の周波数帯、即ち第１使用周波数帯ＦＣに対応している。他の構成は、実施の形態１と同様である。
【００３７】
上記のようなマルチバンド無線通信装置では、３つの使用周波数帯を用いた構成で、第１〜第３使用周波数帯ＦＡ〜ＦＣが比較的大きく離れている場合であっても、実施の形態１と同様に、回路構成を簡略化することができる。なお、４つ以上の使用周波数帯を用いる構成であっても、同様の効果を得ることができる。
【００３８】
実施の形態３．
実施の形態１，２では、第１使用周波数帯ＦＡが１チャネルの場合の例について説明した。これに対して、実施の形態３では、第１使用周波数帯ＦＡが複数のチャネルを含んでいる場合の例について説明する。
【００３９】
図４は、この発明の実施の形態３によるマルチバンド無線通信装置を示す構成図である。図４において、実施の形態３の第１周波数シンセサイザ２は、第２周波数シンセサイザ５と同様に、第１使用周波数帯ＦＡに属する２つのチャネルｆＡ０，ｆＡ１のうち所望のチャネルを選択するための第１使用周波数帯用チャネル選択手段（図示せず）を有している。また、実施の形態３の第２周波数シンセサイザ５は、第１周波数シンセサイザ２の局部発振信号の周波数に対応するように、自身が発振する局部発振信号の中心周波数を変更可能となっている。
【００４０】
例えば、チャネルｆＡ０の中心周波数を５.０ＧＨｚとし、チャネルｆＡ１の中心周波数を５．１ＧＨｚとした場合、第１使用周波数帯用チャネル選択手段によって、局部発振信号の周波数は、５.０ＧＨｚ及び５.１ＧＨｚのいずれか一方に選択可能となる。また、例えば、第２使用周波数帯ＦＢで、６０.２ＧＨｚのチャネルを使用する場合には、第２周波数シンセサイザ５は、第１使用周波数帯ＦＡに属する２つのチャネルｆＡ０，ｆＡ１に対応するように、５５.２ＧＨｚ又は５５.１ＧＨｚの局部発振信号を発振する。他の構成は、実施の形態２と同様である。
【００４１】
上記のようなマルチバンド無線通信装置では、第１周波数シンセサイザ２が第２使用周波数帯用チャネル選択手段を有しており、この第１使用周波数帯用チャネル選択手段によって、局部発振信号の中心周波数が、チャネルｆＡ０，ｆＡ１の中心周波数に対応するように可変となっている。この構成により、周波数シンセサイザの個数を増やすことなく、第１使用周波数帯ＦＡに属する２つのチャネルｆＡ０，ｆＡ１に対応することができる。
【００４２】
なお、実施の形態３では、第１使用周波数帯ＦＡに属するチャネルが２つであったが、この例に限定するものではなく、第１使用周波数帯ＦＡに属するチャネルが３つ以上であってもよい。
【符号の説明】
【００４３】
１  ベースバンド部、２  第１周波数シンセサイザ（第１周波数発振部）、３  第１ミキサ（第１周波数変換部）、４  送信周波数選択用スイッチ、５  第２周波数シンセサイザ（第２周波数発振部）、６  第２ミキサ（第２周波数変換部）、７Ａ〜７Ｃ  アンプ、８Ａ〜８Ｃ  アンテナ、９  第３周波数シンセサイザ、１０  第３ミキサ。
【図１】
2010171898.tif 000003
【図２】
2010171898.tif 000004
【図３】
2010171898.tif 000005
【図４】
2010171898.tif 000006
【図５】
2010171898.tif 000007